(57)【特許請求の範囲】
【請求項１】
業務を構成する複数の工程が、前記業務を実行する所定の単位時間毎にセルとして分割されており、前記セル毎に、前記業務の実行に必要な情報を提示手段に提示させる提示制御手段と、
複数の前記業務、前記工程及び前記セルを順次移行させる移行方法を、異なる業務における同種工程中の未実行のセルに移行する方法、異なる業務における異種工程中の未実行のセルに移行する方法、同業務における異種工程中の未実行のセルに移行する方法の中から指定する移行指定手段と、
前記移行指定手段の指定に基づいて、前記提示制御手段に対して前記提示手段が提示する前記セル毎の情報を移行させる移行制御手段と、
を備えることを特徴とする業務実行支援装置。
【請求項２】
請求項１記載の業務実行支援装置において、前記移行方法は、過去の所定回数の移行において同種工程への移行が無いことを特徴とする業務実行支援装置。
【請求項３】
請求項１記載の業務実行支援装置において、前記提示制御手段は、過去に提示した工程の内容を提示手段に提示させることを特徴とする業務実行支援装置。
【請求項４】
請求項１から請求項３のいずれか一項記載の業務実行支援装置において、前記提示制御手段は、提示予定の工程の内容を提示手段に提示させることを特徴とする業務実行支援装置。
【請求項５】
コンピュータを、
業務を構成する複数の工程が、前記業務を実行する所定の単位時間毎にセルとして分割されており、前記セル毎に、前記業務の実行に必要な情報を提示手段に提示させる提示制御手段、
複数の前記業務、前記工程及び前記セルを順次移行させる移行方法を、異なる業務における同種工程中の未実行のセルに移行する方法、異なる業務における異種工程中の未実行のセルに移行する方法、同業務における異種工程中の未実行のセルに移行する方法の中から指定する移行指定手段、
前記移行指定手段の指定に基づいて、前記提示制御手段に対して前記提示手段が提示する前記セル毎の情報を移行させる移行制御手段、
として機能させることを特徴とする業務実行支援プログラム。
【発明の詳細な説明】
【技術分野】
【０００１】
本発明は、業務実行支援装置及び業務実行支援プログラムに関する。
【背景技術】
【０００２】
従来より、複数のウインドウを表示することができる画面上で表示されたウインドウを切り替える技術が提案されている。例えば、下記特許文献１には、複数のウインドウを設定された順序かつ設定された時間間隔で順次最上位に表示させる計算機システムが開示されている。また、下記特許文献２には、高い生産性を実現するために複数の行動の並行実施を支援する多重ワーク支援装置が開示されている。
【０００３】
【特許文献１】特開平３−２１４３６１号公報
【特許文献２】特開２００５−２２２４７４号公報
【発明の開示】
【発明が解決しようとする課題】
【０００４】
本発明の目的は、複数の業務を並行して処理するために、業務の実行に必要な情報を複数移行しながら提示する際の移行方法を指定する業務実行支援装置及び業務実行支援プログラムを提供することにある。
【課題を解決するための手段】
【０００５】
上記目的を達成するために、請求項１記載の業務実行支援装置の発明は、業務を構成する複数の工程が、前記業務を実行する所定の単位時間毎にセルとして分割されており、前記セル毎に、前記業務の実行に必要な情報を提示手段に提示させる提示制御手段と、複数の前記業務、前記工程及び前記セルを順次移行させる移行方法を、異なる業務における同種工程中の未実行のセルに移行する方法、異なる業務における異種工程中の未実行のセルに移行する方法、同業務における異種工程中の未実行のセルに移行する方法の中から指定する移行指定手段と、前記移行指定手段の指定に基づいて、前記提示制御手段に対して前記提示手段が提示する前記セル毎の情報を移行させる移行制御手段と、を備えることを特徴とする。
【０００９】
請求項２記載の発明は、請求項１記載の発明において、前記移行方法が、過去の所定回数の移行において同種工程への移行が無いことを特徴とする。
【００１０】
請求項３記載の発明は、請求項１記載の発明において、前記提示制御手段が、過去に提示した工程の内容を提示手段に提示させることを特徴とする。
【００１１】
請求項４記載の発明は、請求項１から請求項３のいずれか一項記載の発明において、前記提示制御手段が、提示予定の工程の内容を提示手段に提示させることを特徴とする。
【００１２】
請求項５記載の業務実行支援プログラムの発明は、コンピュータを、業務を構成する複数の工程が、前記業務を実行する所定の単位時間毎にセルとして分割されており、前記セル毎に、前記業務の実行に必要な情報を提示手段に提示させる提示制御手段、複数の前記業務、前記工程及び前記セルを順次移行させる移行方法を、異なる業務における同種工程中の未実行のセルに移行する方法、異なる業務における異種工程中の未実行のセルに移行する方法、同業務における異種工程中の未実行のセルに移行する方法の中から指定する移行指定手段、前記移行指定手段の指定に基づいて、前記提示制御手段に対して前記提示手段が提示する前記セル毎の情報を移行させる移行制御手段、として機能させることを特徴とする。
【発明の効果】
【００１３】
請求項１記載の発明によれば、本構成を用いない装置に比べて、業務の実行に必要な情報を複数移行しながら提示する際の移行方法を指定することができる。
【００１７】
請求項２記載の発明によれば、本構成を用いない装置に比べて、各業務の異種工程を所定回数並行処理することができる。
【００１８】
請求項３記載の発明によれば、本構成を用いない装置に比べて、過去に実行した内容の復習をすることができる。
【００１９】
請求項４記載の発明によれば、本構成を用いない装置に比べて、これから実行する内容の予習をすることができる。
【００２０】
請求項５記載の発明によれば、業務の実行に必要な情報を複数移行しながら提示する際の移行方法を指定することができる業務実行支援プログラムを提供できる。
【発明を実施するための最良の形態】
【００２１】
以下、本発明を実施するための最良の形態（以下、実施形態という）を、図面に従って説明する。
【００２２】
図１には、本発明にかかる業務実行支援装置のハードウエア構成の例が示される。図１において、業務実行支援装置１０は、例えば汎用のコンピュータ端末等により実現され、提示装置１２、入力装置１４、処理部１６、記憶装置１８及び通信装置２０を含んで構成されている。
【００２３】
提示装置１２は、ＬＣＤあるいはＣＲＴ（Ｃａｔｈｏｄｅ  Ｒａｙ  Ｔｕｂｅ）で構成された表示装置１２ａあるいはスピーカ等で構成された音声再生装置１２ｂを含んでおり、業務の実行に必要な情報を画面に表示し、あるいは音声による読み上げにより利用者に提示する。
【００２４】
入力装置１４は、キーボード及びポインティングデバイス等を含んで構成され、利用者が動作指示等を入力するために使用する。
【００２５】
処理部１６は、中央処理装置（例えばＣＰＵを使用することができる）１６１及びメモリ１６２等を含んで構成され、ＣＰＵ１６１の処理動作を制御するプログラムを実行して後述する各機能を実現する。
【００２６】
記憶装置１８は、ハードディスク装置（ＨＤＤ）、ＣＤ（コンパクトディスク）装置等により構成され、上記ＣＰＵ１６１の処理動作を制御するプログラム、業務の実行に必要な情報等を格納する。
【００２７】
通信装置２０は、ネットワークカード等の適宜な通信インターフェースにより構成され、他のコンピュータとの間でデータをやり取りする。
【００２８】
ここで、上記業務実行支援装置１０は、スタンドアロンで用いられてもよいが、業務実行支援装置１０が通信装置２０を介して他の利用者の作業環境に接続されていてもよい。このとき、他の利用者の作業環境とは、個人の作業環境あるいは、会議などの複数の利用者が集合した作業環境の両方を含んでいる。
【００２９】
図２には、本発明にかかる業務実行支援装置の一実施形態の機能ブロック図が示される。図２において、業務実行支援装置１０は、提示制御部２２、移行指定部２４、移行制御部２６、業務受付部２８、業務分割部３０及び業務リスト格納部３２の各機能を含んで構成されており、これらの機能はＣＰＵ１６１及びＣＰＵ１６１の処理動作を制御するプログラム並びに記憶装置１８により実現される。
【００３０】
提示制御部２２は、業務を構成する複数の工程毎に、業務の実行に必要な情報を提示装置１２に提示させる。この提示は、表示装置１２ａによる画像の表示あるいは音声再生装置１２ｂによる音声の出力により行う。例えば、業務に関係のある画像情報を表示し、あるいは工程を切り替える指示を音声で提示すること等がある。ここで、上記業務の種類としては特に限定されないが、例えば文書作成、複数の業務を議題とする会議、複数のシステム開発、複数の検討課題を有する業務の検討会議等があげられる。本実施形態においては、複数の業務または工程を短時間で切り替えて並行処理するために、提示装置１２に工程毎の情報を切り替えながら提示させる。これを巡回提示という。また、本実施形態では、上記工程が業務を実行する所定の単位時間毎にセルとして分割されており、情報の提示はセル毎に行う構成としてもよい。このセルの長さは、例えば３分〜５分とすることができる。
【００３１】
移行指定部２４は、業務及び工程を順次移行させる移行方法を指定する。本実施形態では、複数の業務を実行する際に、業務及び業務を構成する複数の工程を移行して行くが、移行指定部２４は、この業務及び工程をどのような順序で移行して行くかを指定する。この指定は、予め利用者が入力装置１４から入力した指示に基づいて行う構成でもよいし、業務のタイトル、業務の構造等に基づいて判断する業務の類似性により移行する業務を指定する構成でもよい。
【００３２】
移行制御部２６は、上記移行指定部２４の指定に基づいて、提示制御部２２に対して提示装置１２が提示する情報を次の業務及び工程に関する情報に移行させる。ここで、上述したように、上記工程は業務を実行する所定の単位時間毎にセルとして分割されているので、セル毎に情報を提示し、このセル毎の情報を移行させる構成としてもよい。
【００３３】
業務受付部２８は、利用者が入力装置１４から入力した実行対象である業務に関する情報を受け付ける。
【００３４】
業務分割部３０は、上記業務受付部２８が受け付けた業務に関する情報を解析し、業務を構成する工程に分割する。ここで、工程の例としては、例えば所定の文書を生成する業務の場合に、以下のようなものが挙げられる。
（Ａ）文書の趣旨・納期等を確認し、スケジュールを設定する工程
（Ｂ）文書に関するデータ及び素材を収集する工程
（Ｃ）文書全体の論理構成（項目）を検討し、文書のフォームを作成する工程
（Ｄ）上記項目別に内容を検討し、文書の入力及び編集を行う工程
（Ｅ）文書に含まれる文章を推敲し、レイアウト等を調整する工程
（Ｆ）作成した文書を確認し、提出する工程
【００３５】
また、業務分割部３０は、上記各工程について、業務を実行する所定の単位時間毎にセルとして分割する処理も行う。これらの分割処理は、利用者が予め指示した工程の項目及び各工程のセル数に応じて実行される構成とすることができる。なお、利用者が業務に関する情報を入力する際に、工程及びセルに分割して入力してもよい。この場合には、業務分割部３０は無くてもよい。
【００３６】
業務リスト格納部３２は、記憶装置１８上に構成され、上記業務受付部２８が受け付け、業務分割部３０が工程及びセルに分割した業務を受け取り、業務リストとして格納する。
【００３７】
図３には、本発明にかかる業務実行支援装置の動作例のフローが示される。図３において、利用者が入力装置１４から入力した指示に基づいて、移行指定部２４が、業務及び工程をどのような順序で移行して行くかを移行制御部２６に指定する（Ｓ１０１）。ここで、指定される移行方法としては、例えば異なる業務における同種工程中の未実行のセルに移行する方法、異なる業務における異種工程中の未実行のセルに移行する方法、同業務における異種工程中の未実行のセルに移行する方法等がある。
【００３８】
移行制御部２６は、移行指定部２４の指定に基づいて、業務リスト格納部３２に格納された業務リストから移行先の業務、工程及びセルを決定し、提示制御部２２に対して提示する情報を指示する（Ｓ１０２）。
【００３９】
提示制御部２２は、移行制御部２６の指示に基づき、業務、工程及びセルを切り替えながら情報を提示する。利用者は、提示制御部２２が提示装置１２に提示させる情報に基づいて実行する業務の内容を短時間で切り替えて行く。ここで、提示制御部２２は、対象となる業務が終了したか否か、または利用者から終了指示が有ったか否かを監視し（Ｓ１０３）、業務の終了または終了指示が無い場合に、現在実行中のセルが終了（所定時間経過）したか否かを監視する（Ｓ１０４）。Ｓ１０４において、セルが終了した場合には、提示制御部２２から移行制御部２６に対して移行要求を出力し（Ｓ１０５）、Ｓ１０２からのステップを繰り返す。なお、Ｓ１０５において、移行指定部２４が割り込みを行い、移行方法を変更できる構成としてもよい。
【００４０】
また、Ｓ１０３において、業務の終了または終了指示が有った場合には、業務の実行に必要な情報の巡回提示を終了する。
【００４１】
図４には、本発明にかかる業務実行支援装置の他の動作例のフローが示される。図４は、上記図３のＳ１０１において、移行指定部２４が異なる業務における同種工程中の未実行のセルに移行する方法を指定した場合の動作例であり、Ｓ１０２以降のステップの具体例である。本動作例は、業務の内容の類似性が高い場合に実施するのが好適である。また、図５には、本実施形態における移行方法の説明図が示される。図５において、各セルは、業務の番号と工程の符号及びセル番号で示されている。例えば、業務１の工程Ａに属するセルは１Ａ−１であり、業務１の工程Ｂに属するセルは、１Ｂ−１，１Ｂ−２，１Ｂ−３，１Ｂ−４と表される。他のセルについても同様である。
【００４２】
図４において、移行指定部２４の指定に基づき、移行制御部２６が業務リスト格納部３２に格納された業務リストから実行する業務を選択し、実行業務リストを作成する（Ｓ２０１）。ここで、実行業務リストに含まれる業務は、業務のタイトル、工程数、セル数等から判断される情報の構造の類似性が高い業務であり、順番がつけられている。なお、業務リスト格納部３２に格納された業務リスト全体を実行業務リストとしてもよい。
【００４３】
次に、移行制御部２６は、上記実行業務リストから、最初に実行する業務、工程及びセルを決定し、提示制御部２２に対して提示するセルの情報を指示する（Ｓ２０２）。提示制御部２２は、提示装置１２に、上記指示されたセルの情報を提示させる。このとき指定されるセルは、未実行のセルである（Ｓ２０３）。
【００４４】
図５に示された例では、業務１の工程Ｃに属するセル１Ｃ−２が最初に実行するセルとして指定されている。なお、どの業務、工程、セルから巡回提示を開始するかについては、利用者が予め指定する構成とすることができる。
【００４５】
提示制御部２２は、現在実行中のセルが終了（所定時間経過）したか否かを監視する（Ｓ２０４）。現在実行中のセルが終了すると、提示制御部２２が移行制御部２６に通知し、終了したセルが属する業務を、実行業務リストの最後の順番とする（Ｓ２０５）。
【００４６】
移行制御部２６は、次に実行する業務、工程及びセルを決定し、提示制御部２２に対して提示するセルの情報を指示する。本実施形態では、先に実行した業務とは異なる業務に属する同種工程中の未実行セルが指定される（Ｓ２０６）。なお、次に実行を予定した業務に未実行のセルがない場合には、この業務をとばしてさらに次の業務を指定する。
【００４７】
図５に示された例では、次に実行するセルとして、業務２の工程Ｃに属するセル２Ｃ−３が指定されている。なお、セル２Ｃ−３が既に実行済である場合には、業務２をとばして業務３に含まれる工程及びセルが指定される。このようにして、順次業務を選択して行き、各業務に属する工程及びセルが巡回提示されて行く。
【００４８】
次に、提示制御部２２は、対象となる業務が終了したか否か、または利用者から終了指示が有ったか否かを監視する（Ｓ２０７）。業務の終了または終了指示が無い場合には、Ｓ２０３からのステップを繰り返す。また、業務の終了または終了指示があった場合には、業務の実行に必要な情報の巡回提示を終了する。
【００４９】
本実施形態における巡回提示を採用する業務の例として、次のような異なる５件の業務を議題とする企業の役員会を挙げることができる。
業務１：企業Ａの買収案件中間報告
業務２：技術Ｂへの開発投資案件
業務３：人事政策承認案件
業務４：情報管理規定の件
業務５：株主総会式次第の件
【００５０】
これらの各業務は、業務分割部３０または利用者により、それぞれ工程及びセルに分割され、互いに構造の類似性が高いと判断される業務である。役員会では、各業務の同種工程に属するセルを巡回提示し、役員会メンバーが意見表明、承認または否認等を行い、業務を処理して行く。
【００５１】
図６には、本発明にかかる業務実行支援装置のさらに他の動作例のフローが示される。図６は、上記図３のＳ１０１において、移行指定部２４が異なる業務における異種工程中の未実行のセルに移行する方法を指定した場合の動作例であり、Ｓ１０２以降のステップの具体例である。本動作例は、業務の内容の類似性が低い場合に実施するのが好適である。また、図７には、本実施形態における移行方法の説明図が示される。
【００５２】
図６において、移行指定部２４の指定に基づき、移行制御部２６が業務リスト格納部３２に格納された業務リストから実行する業務を選択し、実行業務リストを作成する（Ｓ３０１）。ここで、実行業務リストに含まれる業務は、業務のタイトル、工程数、セル数等から判断される情報の構造の類似性が低い業務であり、順番がつけられている。なお、業務リスト格納部３２に格納された業務リスト全体を実行業務リストとしてもよい。
【００５３】
次に、移行制御部２６は、上記実行業務リストから、最初に実行する業務、工程及びセルを決定し、提示制御部２２に対して提示するセルの情報を指示する（Ｓ３０２）。提示制御部２２は、提示装置１２に、上記指示されたセルの情報を提示させる。このとき指定されるセルは、未実行のセルである（Ｓ３０３）。
【００５４】
図７に示された例では、業務１の工程Ｃに属するセル１Ｃ−２が最初に実行するセルとして指定されている。
【００５５】
提示制御部２２は、現在実行中のセルが終了（所定時間経過）したか否かを監視する（Ｓ３０４）。現在実行中のセルが終了すると、提示制御部２２が移行制御部２６に通知し、終了したセルが属する業務を、実行業務リストの最後の順番とする（Ｓ３０５）。
【００５６】
移行制御部２６は、次に実行する業務、工程及びセルを決定し、提示制御部２２に対して提示するセルの情報を指示する。本実施形態では、先に実行した業務とは異なる業務に属する異種工程中の未実行セルが指定される（Ｓ３０６）。異種工程を指定する方法としては、例えば実行した業務及び工程の情報を記憶装置１８に形成された短期記憶領域に記憶しておき、提示制御部２２がこの短期記憶領域を参照して最近実行した工程と同種の工程を指定しないように構成することができる。この場合、例えば直近の３回の移行の際に指定された工程と同種の工程を指定しないことをデフォルト設定とし、その後適宜変更できる構成とするのが好適である。なお、次に実行を予定した業務に未実行のセルがない場合には、この業務をとばしてさらに次の業務を指定する。
【００５７】
図７に示された例では、次に実行するセルとして、業務２の工程Ｄに属するセル２Ｄ−３が指定されている。なお、セル２Ｄ−３が既に実行済である場合には、業務２をとばして業務３に含まれる工程及びセルが指定される。このようにして、順次業務を選択して行き、各業務に属する工程及びセルが巡回提示されて行く。
【００５８】
次に、提示制御部２２は、対象となる業務が終了したか否か、または利用者から終了指示が有ったか否かを監視する（Ｓ３０７）。業務の終了または終了指示が無い場合には、上記短期記憶領域にＳ３０４で終了したセルが属していた工程の情報を追加し、記憶されている情報を更新して（Ｓ３０８）、Ｓ３０３からのステップを繰り返す。また、業務の終了または終了指示があった場合には、業務の実行に必要な情報の巡回提示を終了する。
【００５９】
本実施形態における巡回提示を採用する業務の例として、次のようなシステム開発の例が挙げられる。
業務１：顧客管理システムの開発
業務２：医療用データベースシステムの開発
業務３：設計図面管理システムの開発
業務４：モバイルワーク支援システムの開発
業務５：現場監視システムの開発
【００６０】
これらの業務には、それぞれ以下の６種の工程が含まれている。
工程１：ソフトウェア構成の検討
工程２：ハードウェア設計
工程３：インフラ及び環境想定
工程４：ユースウェアの考案
工程５：予算管理
工程６：スケジュール管理
【００６１】
本実施形態では、例えば上記業務１で工程２のハードウェア設計を行い、次に業務２で工程４のユースウェアの考案を行い、さらにその次に業務３で工程６のスケジュール管理を行う等のように、セル単位で異なる業務に移行し異なる工程を短時間で実行して行く。
【００６２】
図８には、本発明にかかる業務実行支援装置のさらに他の動作例のフローが示される。図８は、上記図３のＳ１０１において、移行指定部２４が同業務における異種工程中の未実行のセルに移行する方法を指定した場合の動作例であり、Ｓ１０２以降のステップの具体例である。本動作例は、一つの業務を集中的に処理する場合に実施するのが好適である。また、図９には、本実施形態における移行方法の説明図が示される。
【００６３】
図８において、移行指定部２４の指定に基づき、移行制御部２６が業務リスト格納部３２に格納された業務リストから実行する業務を選択し、実行業務リストを作成する（Ｓ４０１）。ここで、実行業務リストに含まれる業務は一つであってよい。
【００６４】
次に、移行制御部２６は、上記実行業務リストから、最初に実行する工程及びセルを決定し、提示制御部２２に対して提示するセルの情報を指示する（Ｓ４０２）。提示制御部２２は、提示装置１２に、上記指示されたセルの情報を提示させる。このとき指定されるセルは、未実行のセルである（Ｓ４０３）。
【００６５】
図９に示された例では、業務１の工程Ｃに属するセル１Ｃ−２が最初に実行するセルとして指定されている。
【００６６】
提示制御部２２は、現在実行中のセルが終了（所定時間経過）したか否かを監視する（Ｓ４０４）。現在実行中のセルが終了すると、提示制御部２２が移行制御部２６に通知する。
【００６７】
移行制御部２６は、次に実行する工程及びセルを決定し、提示制御部２２に対して提示するセルの情報を指示する。本実施形態では、先に実行した工程とは異なる工程（異種工程）に属する未実行セルが指定される（Ｓ４０５）。異種工程を指定する方法としては、例えば実行した工程の情報を記憶装置１８に形成された短期記憶領域に記憶しておき、提示制御部２２がこの短期記憶領域を参照して最近実行した工程と同種の工程を指定しないように構成することができる。この場合、例えば直近の３回の移行の際に指定された工程と同種の工程を指定しないことをデフォルト設定とし、その後適宜変更できる構成とするのが好適である。なお、次に実行を予定した工程に未実行のセルがない場合には、この工程をとばしてさらに次の工程を指定する。
【００６８】
図９に示された例では、次に実行するセルとして、業務１の工程Ｄに属するセル１Ｄ−４が指定されている。なお、セル１Ｄ−４が既に実行済である場合には、工程Ｄをとばして工程Ｅに含まれるセルが指定される。このようにして、順次工程を選択して行き、各工程に属するセルが巡回提示されて行く。
【００６９】
次に、提示制御部２２は、対象となる業務が終了したか否か、または利用者から終了指示が有ったか否かを監視する（Ｓ４０６）。業務の終了または終了指示が無い場合には、上記短期記憶領域にＳ４０４で終了したセルが属していた工程の情報を追加し、記憶されている情報を更新して（Ｓ４０７）、Ｓ４０３からのステップを繰り返す。また、業務の終了または終了指示があった場合には、業務の実行に必要な情報の巡回提示を終了する。
【００７０】
本実施形態における巡回提示を採用する業務の例として、次のような、ある企業が運営するイベントに関する複数の検討課題（工程）を検討する会議（業務）の例が挙げられる。
工程１：イベントの趣旨及び目的の共有化と第１回打合せのゴール確認
工程２：課題の全体像の確認及び追加修正の検討
工程３：個別課題の検討
工程４：対策案のまとめ
工程５：今後のスケジュール検討
【００７１】
これらの各工程は、１つまたは複数のセルを有している。このセルを例えば３分毎に切り替えて巡回提示し、検討して行く。この場合、工程１のセルから巡回提示してもよいし、他の工程の順序でセルを巡回提示してもよい。
【００７２】
以上に述べた各実施形態においては、提示装置１２に提示した情報は、後のセルの提示中には提示されない構成となっているが、これに限定されるものではない。例えば、ある工程のセルを提示中に、復習のために過去に提示したセルの内容を音声再生装置１２ｂにより音声で提示してもよい。また、ある工程のセルを提示中に、予習のために提示予定のセルの内容を音声再生装置１２ｂにより音声で提示してもよい。
【００７３】
図１０には、本発明にかかる業務実行支援装置を使用した会議の様子を示す図である。図１０において、会議室３４には、提示装置１２を構成する表示装置１２ａ及び音声再生装置１２ｂが設けられている。会議に出席するメンバーは、表示装置１２ａに表示される画像情報及び音声再生装置１２ｂにより再生される音声情報に基づいて各業務の工程をセルの単位で実行して行く。この際、セルとして設定された時間が経過する毎に、表示装置１２ａ及び音声再生装置１２ｂに提示される情報が移行して行くので、メンバーが検討し、取り組む業務の内容が短時間で切り替えられ、作業の効率化が図られる。
【図面の簡単な説明】
【００７４】
【図１】本発明にかかる業務実行支援装置のハードウエア構成の例を示す図である。
【図２】本発明にかかる業務実行支援装置の一実施形態の機能ブロック図である。
【図３】本発明にかかる業務実行支援装置の動作例のフロー図である。
【図４】本発明にかかる業務実行支援装置の他の動作例のフロー図である。
【図５】図４に示された実施形態における移行方法の説明図である。
【図６】本発明にかかる業務実行支援装置のさらに他の動作例のフロー図である。
【図７】図６に示された実施形態における移行方法の説明図である。
【図８】本発明にかかる業務実行支援装置のさらに他の動作例のフロー図である。
【図９】図８に示された実施形態における移行方法の説明図である。
【図１０】本発明にかかる業務実行支援装置を使用した会議の様子を示す図である。
【符号の説明】
【００７５】
業務実行支援装置１０、１２  提示装置、１２ａ  表示装置、１２ｂ  音声再生装置、１４  入力装置、１６  処理部、１８  記憶装置、２０  通信装置、２２  提示制御部、２４  移行指定部、２６  移行制御部、２８  業務受付部、３０  業務分割部、３２  業務リスト格納部、３４  会議室、１６１  ＣＰＵ、１６２  メモリ。
【図１】
0005245390.tif 000002
【図２】
0005245390.tif 000003
【図３】
0005245390.tif 000004
【図４】
0005245390.tif 000005
【図５】
0005245390.tif 000006
【図６】
0005245390.tif 000007
【図７】
0005245390.tif 000008
【図８】
0005245390.tif 000009
【図９】
0005245390.tif 000010
【図１０】
0005245390.tif 000011